(57)【要約】【課題】本発明は、複数のデータ系列がそれぞれマッピングされた複数の伝送フレームに対し、複数の異なる物理チャネルを用いるマルチレーン伝送を可能にすることを目的とする。【解決手段】本発明のマルチレーン伝送システムは、送信器１００は、複数のデータ系列のうちの１つのデータ系列の伝送フレームの同期用信号を各伝送レーンにおけるレーン同期用信号および伝送レーン識別用信号として用い、各データ系列の伝送フレームを各伝送レーンにマッピングし、各伝送レーンにマッピングされた伝送フレームを、伝送レーンごとに異なる物理チャネルで伝送し、受信器２００は、物理チャネルごとに受信した信号に含まれる１つのデータ系列の伝送フレームの同期用信号を用いて伝送レーン同期と伝送レーン識別を行い、各伝送フレームを各伝送レーンに分離してデマッピングする。【選択図】図１
2014039108.tif 000002
【特許請求の範囲】
【請求項１】
複数のデータ系列が複数の伝送レーンにそれぞれマッピングされた伝送フレームを、複数の物理チャネルを用いて伝送するマルチレーン伝送方法であって、
前記複数のデータ系列のうちの１つのデータ系列の伝送フレームの同期用信号を各伝送レーンにおけるレーン同期用信号および伝送レーン識別用信号として用い、各データ系列の前記伝送フレームを各伝送レーンにマッピングするマッピング手順と、
各伝送レーンにマッピングされた伝送フレームをデータ系列間で時間多重する多重化手順と、
を順に有することを特徴とするマルチレーン伝送方法。
【請求項２】
前記複数のデータ系列のデータ系列数はＮ（Ｎは自然数）系列であり、
前記同期用信号のビットパタンがＮフレーム連続で同じパタンであることを特徴とする請求項１に記載のマルチレーン伝送方法。
【請求項３】
複数のデータ系列が複数の伝送レーンにそれぞれマッピングされた伝送フレームを、複数の物理チャネルを用いて送信器から受信器へ送信するマルチレーン伝送システムであって、
前記送信器は、前記複数のデータ系列のうちの１つのデータ系列の伝送フレームの同期用信号を各伝送レーンにおけるレーン同期用信号および伝送レーン識別用信号として用い、各データ系列の前記伝送フレームを各伝送レーンにマッピングし、各伝送レーンにマッピングされた伝送フレームをデータ系列間で時間多重し、
前記受信器は、前記１つのデータ系列の伝送フレームの前記同期用信号を用いて伝送レーン同期と伝送レーン識別を行うことによって、各伝送フレームをデマッピングするマルチレーン伝送システム。
【請求項４】
複数のデータ系列が入力され、各データ系列の伝送フレームを生成するフレーマと、
前記複数のデータ系列のうちの１つのデータ系列について、伝送フレームの同期用信号のマッピングされるレーンが伝送フレームごとに異なるようにレーンローテーションを行いながら、前記伝送フレームを分割した各データブロックを複数の伝送レーンにマッピングするマッピング回路と、
前記複数のデータ系列のうちの前記１つのデータ系列を除くデータ系列について、前記伝送フレームを分割した各データブロックを前記複数の伝送レーンにマッピングするシリアルパラレル変換回路と、
前記マッピング回路からの各データブロックと前記シリアルパラレル変換回路からの各データブロックをデータ系列間で時間多重する多重回路と、
を備えるマルチレーン伝送装置。
【発明の詳細な説明】
【技術分野】
【０００１】
本発明は、光伝送網におけるマルチレーン伝送方法およびシステムに係るものであって、特に、複数のデータ系列信号がそれぞれマッピングされた伝送フレームを、複数の物理チャネルを用いて伝送するマルチレーン伝送方法およびシステムに関する。
【背景技術】
【０００２】
インターネットトラヒックはますます増加の一途をたどっており、各国の研究機関や企業が、光基幹網におけるさらなる大容量化および経済化を目指し、革新的な技術を求める研究開発を盛んに行っている。
【０００３】
その中でも偏波多重技術を用いた伝送方式は、従来の単一偏波伝送方式に比べ周波数利用効率を２倍大きくすることができることから、商用システムへの導入検討が活発に続けられている。また、ＯＴＮ（Ｏｐｔｉｃａｌ  Ｔｒａｎｓｐｏｒｔ  Ｎｅｔｗｏｒｋ）のクライアント信号の一つであるＥｔｈｅｒｎｅｔ（登録商標）の高速化に伴い、ＯＴＮのフレーム信号のボーレートそのものもますます増加し続けている。
【０００４】
しかしながら、前記偏波多重技術やボーレートの増加により、光信号は光伝送路内の偏波に起因する現象、すなわち偏波依存損失や偏波モード分散の影響を従来以上に受けやすいことが指摘されている（非特許文献１）。
【０００５】
そのような偏波起因の現象がもたらす光信号の劣化は、同一時間においても、物理チャネル間で異なるという特筆すべき性質を具備している。前記性質を利用し、波長インタリーブ伝送方式、すなわち１つの信号系列を複数の物理チャネルを用いて伝送することにより極度に著しい光信号の劣化を統計的に緩和することのできる方式、が提案されている（非特許文献２）。
【０００６】
前記波長インタリーブ伝送方式は、複数の信号系列を考えたとき、伝送速度および効率を落とさないようにするために、複数の信号系列を複数の物理チャネル間で伝送フレームへマッピングした後に伝送する必要がある。このとき、１つの伝送フレームにはすべての信号系列の一部がインタリーブされていることにより、前記波長インタリーブ伝送方式の効果が最も現れる。
【先行技術文献】
【非特許文献】
【０００７】
【非特許文献１】Ｍ．Ｓｈｔａｉｆ  ｅｔ  ａｌ．，“Ｐｅｒｆｏｒｍａｎｃｅ  ｄｅｇｒａｄａｔｉｏｎ  ｉｎ  ｃｏｈｅｒｅｎｔ  ｐｏｌａｒｉｚａｔｉｏｎ  ｍｕｌｔｉｐｌｅｘｅｄ  ｓｙｓｔｅｍｓ  ａｓ  ａ  ｒｅｓｕｌｔ  ｏｆ  ｐｏｌａｒｉｚａｔｉｏｎ  ｄｅｐｅｎｄｅｎｔ  ｌｏｓｓ”，Ｏｐｔｉｃｓ  Ｅｘｐｒｅｓｓ，Ｖｏｌ．１６，ｐｐ．１３９１８−１３９３２，２００８．
【非特許文献２】芝原他、“波長インタリーブ伝送方式によるＰＤＬ耐力向上の定量評価”、信学会ソサイエティ大会、通信ソサイエティ２、Ｖｏｌ．２０１１、ｐｐ．２６７、２０１１
【非特許文献３】Ｒｅｃｏｍｍｅｎｄａｔａｉｏｎ  ＩＴＵ−Ｔ  Ｇ．７０９／Ｙ．１３３１．
【発明の概要】
【発明が解決しようとする課題】
【０００８】
単一のデータ系列を複数の物理チャネルを用いて伝送するマルチレーン伝送する方法の例としては、ＩＴＵ−Ｔ勧告書Ｇ．７０９（非特許文献３）記載のマルチレーン伝送方法が挙げられる。
【０００９】
しかしながら、複数のデータ系列を複数の物理チャネルを用いて伝送するマルチレーン伝送方法は現在、非特許文献３に規定されていない。特に、前記波長インタリーブ伝送方式を複数のデータ系列間で適用するためには、送信側で各伝送レーンに各データ系列の信号がマッピングされる（インタリーブ）必要があり、受信側では伝送後のレーン間のスキュー調整およびレーン識別を行い元の複数のデータ系列信号のフレームへと復元する必要がある。
【００１０】
本発明は、複数のデータ系列がそれぞれマッピングされた複数の伝送フレームに対し、複数の異なる物理チャネルを用いるマルチレーン伝送を可能にすることを目的とする。
【課題を解決するための手段】
【００１１】
上記目的を達成するために、本発明は、同期用信号を伝送レーン同期用信号および伝送レーン識別用信号として使用することにより複数のデータ系列がそれぞれマッピングされた伝送フレームに対し、複数の物理チャネルを用いるマルチレーン伝送を可能にする伝送方法および伝送システムを提供する。
【００１２】
本発明のマルチレーン伝送方法は、複数のデータ系列が複数の伝送レーンにそれぞれマッピングされた伝送フレームを、複数の物理チャネルを用いて伝送するマルチレーン伝送方法であって、前記複数のデータ系列のうちの１つのデータ系列の伝送フレームの同期用信号を各伝送レーンにおけるレーン同期用信号および伝送レーン識別用信号として用い、各データ系列の前記伝送フレームを各伝送レーンにマッピングするマッピング手順と、各伝送レーンにマッピングされた伝送フレームをデータ系列間で時間多重する多重化手順と、を順に有する。
【００１３】
本発明のマルチレーン伝送方法では、前記複数のデータ系列のデータ系列数はＮ（Ｎは自然数）系列であり、前記同期用信号のビットパタンがＮフレーム連続で同じパタンであってもよい。
【００１４】
本発明のマルチレーン伝送システムは、複数のデータ系列が複数の伝送レーンにそれぞれマッピングされた伝送フレームを、複数の物理チャネルを用いて送信器から受信器へ送信するマルチレーン伝送システムであって、前記送信器は、前記複数のデータ系列のうちの１つのデータ系列の伝送フレームの同期用信号を各伝送レーンにおけるレーン同期用信号および伝送レーン識別用信号として用い、各データ系列の前記伝送フレームを各伝送レーンにマッピングし、各伝送レーンにマッピングされた伝送フレームをデータ系列間で時間多重し、前記受信器は、前記１つのデータ系列の伝送フレームの前記同期用信号を用いて伝送レーン同期と伝送レーン識別を行うことによって、各伝送フレームをデマッピングする。
【００１５】
本発明のマルチレーン伝送装置は、複数のデータ系列が入力され、各データ系列の伝送フレームを生成するフレーマと、前記複数のデータ系列のうちの１つのデータ系列について、伝送フレームの同期用信号のマッピングされるレーンが伝送フレームごとに異なるようにレーンローテーションを行いながら、前記伝送フレームを分割した各データブロックを複数の伝送レーンにマッピングするマッピング回路と、前記複数のデータ系列のうちの前記１つのデータ系列を除くデータ系列について、前記伝送フレームを分割した各データブロックを前記複数の伝送レーンにマッピングするシリアルパラレル変換回路と、前記マッピング回路からの各データブロックと前記シリアルパラレル変換回路からの各データブロックをデータ系列間で時間多重する多重回路と、を備える。
【発明の効果】
【００１６】
本発明によれば、複数のデータ系列がそれぞれマッピングされた複数の伝送フレームに対し、複数の異なる物理チャネルを用いるマルチレーン伝送を可能にすることができる。
【図面の簡単な説明】
【００１７】
【図１】本実施形態に係るマルチレーン伝送システムの一例を示す。
【図２】マッピング回路及びシリアルパラレル変換回路における伝送フレームのレーンへのマッピングの一例を表す。
【図３】多重回路１４で多重化後の各論理レーンの一例を示す。
【図４】ＯＴＵフレームにおけるオーバヘッドの一例を表す。
【図５】データ系列＃１のＦＡＳ内ビットパタンの一例を表す。
【図６】データ系列＃２〜＃ＮのＦＡＳ内ビットパタンの一例を表す。
【図７】実施形態２における伝送フレームのレーンへのマッピングの一例を示す。
【発明を実施するための形態】
【００１８】
添付の図面を参照して本発明の実施形態を説明する。以下に説明する実施形態は本発明の実施の例であり、本発明は、以下の実施形態に制限されるものではない。なお、本明細書及び図面において符号が同じ構成要素は、相互に同一のものを示すものとする。
【００１９】
以下、図面を参照しながら本発明の実施形態について詳細に説明する。なお、本発明を実施する形態の伝送フレームの例として以下ではＯＴＵ（Ｏｐｔｉｃａｌ  Ｔｒａｎｓｐｏｒｔ  Ｕｎｉｔ）フレームを挙げるが、伝送フレームとしてはＦＡＳ（Ｆｒａｍｅ  Ａｌｉｇｎｍｅｎｔ  Ｓｉｇｎａｌ）やＬＬＭ（Ｌｏｇｉｃａｌ  Ｌａｎｅ  Ｍａｒｋｅｒ）などの同期用信号をその中に含みさえすれば本発明は適用可能である。
【００２０】
図１に、本実施形態に係るマルチレーン伝送システムの一例を示す。本実施形態に係るマルチレーン伝送システムは、送信器１００と受信器２００を備える。本実施形態に係るマルチレーン伝送方法は、マッピング手順と、多重化手順と、を順に有する。マッピング手順では、送信器１００が、データ系列＃１のＯＴＵフレームのＦＡＳを各伝送レーンにおけるレーン同期用信号および伝送レーン識別用信号として用い、各データ系列のＯＴＵフレームを各伝送レーンにマッピングする。多重化手順では、送信器１００が、各伝送レーンにマッピングされた伝送フレームをデータ系列間で時間多重する。以下に、送信器１００と受信器２００内における信号の流れをそれぞれ詳述する。
【００２１】
（送信器１００）
送信器１００にＮ系列（Ｎは自然数）のクライアントデータが入力される。送信器１００は、Ｎ個のＯＴＵフレーマ１１と、１個のマッピング回路１２と、（Ｎ−１）個のシリアルパラレル変換回路１３と、１個の多重回路１４と、Ｎ個の光変調器１５と、１個の合波器１６を備える。
【００２２】
送信器１００において、Ｎ個のデータ系列はそれぞれ異なるＯＴＵフレーマ１１によって、ＯＴＵフレームへとマッピングされる。このとき、同期用信号は後述する方法でビットパタンが埋められる。また、Ｎ個のＯＴＵフレーマ１１はクロック同期している必要があるが、フレーム同期はしている必要がない。
【００２３】
いま、１つの物理チャネルあたりの論理レーン数をＫ個とすると、論理レーン数の総数はＫＮ個である。１つの物理チャネルあたりの論理レーン数は光変調器１５の機能に応じて決まり、例えば、光変調器１５がＸ偏波とＹ偏波の偏波多重を用いて変調する場合はＫ＝２となる。Ｎ＝１０かつＫ＝２の場合、論理レーン数の総数は２０となる。これ以降、主にＫ＝２の例を用いて説明する。
【００２４】
図２に、伝送フレームの論理レーンへのマッピング法の一例を表す。ある１つのデータ系列（本実施形態ではデータ系列＃１）のＯＴＵフレームの８バイトを最小単位とするブロックを１単位としてＯＴＵフレームを分割し、論理レーン数に相当するＫＮ個のブロックを同一タイムスロット上にマッピングする。ここで、「タイムスロット」とは、論理レーンへマッピングした際の「タイムスロット」を意味し、光信号に変調する際の「タイムスロット」を意味しないため、ＫＮブロックを同一タイムスロットにマッピングできる。データ系列＃１についてＫＮ個のブロックを同一タイムスロット上にマッピングした後、データ系列＃２についてＫＮ個のブロックを同一タイムスロット上にマッピングする。データ系列＃３〜＃Ｎについても、順にＫＮ個のブロックを同一タイムスロット上にマッピングする。これをデータ系列＃１〜＃Ｎについて、順次繰り返す。
【００２５】
１フレームをＫＮ個の論理レーンへマッピングし終わると、その次のフレームは非特許文献３のＡｎｎｅｘ  Ｃに示されるレーンローテーションを行う。網がけされたブロックが同期用信号の配置されるブロックであり、レーンローテーションでは同期用信号を配置するレーンを順次変更する。このように、ある１つのデータ系列については、フレームごとにレーンローテーションさせながらマッピングしていくことにより、すべての論理レーンへ同期用信号が出現する。
【００２６】
同期用信号の出現する間隔は１ＯＴＵフレーム時間長毎であるので、例えば、ＯＴＵ３では３．０３５μ秒、ＯＴＵ４では１．１６８μ秒となる。レーンローテーションの対象はＮデータ系列のＯＴＵフレームのうち、任意の１つのデータ系列（本実施形態ではデータ系列＃１）のＯＴＵフレームであり、その他のデータ系列＃２〜＃ＮのＯＴＵフレームは対象外となる。データ系列＃２〜＃ＮのＯＴＵフレームは、レーンローテーションされることなく８バイトを最小単位とするブロックを１単位としてＫＮ個の同一タイムスロット上に並べられる。つまり、（Ｎ−１）個のシリアルパラレル変換回路１３がデータ系列＃２〜＃ＮのＯＴＵフレームについて、ブロックを単位としたシリアルパラレル変換を行う。
【００２７】
これらが多重回路１４によって時間軸方向に多重される。各データ系列のＯＴＵフレームが各レーンにインタリーブされたＫＮ個の論理レーンが完成する。そして、ＫＮ個の論理レーンは、各光変調器１５に出力される。図３に、多重回路１４で多重化後の各論理レーンの一例を示す。図３に示すように、多重回路１４はデータ系列間で時間多重する。
【００２８】
光伝送する際に、光変調器１５は、各物理チャネルの光信号を生成する。この際に、論理レーン数ＫＮが物理レーン数より多い場合、複数の論理レーンを単一の物理レーンへと多重化する。例えばＧ．７０９  Ａｐｐｅｎｄｉｘ  Ｘの例を挙げると、ＯＴＵ４の場合、ＫＮ＝２０個の論理レーンは１０個（ＯＴＬ４．１０）ないしは４個（ＯＴＬ４．４）の物理レーンへとビット多重される。生成された物理レーンは光変調器１５で光変調され、複数の物理チャネルによって光伝送路３００へと入力される。
【００２９】
本実施形態では、論理レーン数がＫＮであるのに対して物理チャネル数はＮであり、１つの物理チャネルに対する論理レーンＫが２であり、論理レーン数が物理チャネル数より多い。この場合、物理チャネルλ１の光変調器１５が偏波多重を用いるなどして論理レーン＃１及び＃２を多重化し、物理チャネルλ２の光変調器１５が偏波多重を用いるなどして論理レーン＃３及び＃４を多重化し、・・・物理チャネルλＮの光変調器１５が偏波多重を用いるなどして論理レーン＃（ＫＮ−１）及び＃ＫＮを多重化する。
【００３０】
（受信器２００）
受信器２００は、１個の分波器２６と、Ｎ個の光復調器２５と、１つのレーン同期・識別回路２７と、１つの分離回路２４と、Ｎ個のデマッピング回路２２と、Ｎ個のＯＴＵフレーマ２１を備える。
【００３１】
受信器２００においては、光伝送路３００を伝搬してきた複数の物理チャネルは別々の光復調器２５により、物理レーンへと復調される。単一の物理レーンにつき複数の論理レーンが多重されている場合は、光復調器２５において複数の論理レーンへと分離される。本実施形態では、単一の物理チャネルにつき２つの論理レーンが多重されているため、物理チャネルλ１の光復調器２５がチャネルλ１の光信号を復調して論理レーン＃１及び＃２に分離し、・・・物理チャネルλＮの光復調器２５がチャネルλＮの光信号を復調して論理レーン＃（ＫＮ−１）及び＃ＫＮに分離する。
【００３２】
次に、レーン同期・識別回路２７は、各論理レーンの同期用信号により、非特許文献３のＡｎｎｅｘ  Ｃに示されるように、同期用信号であるＦＡＳの固定パタンにより各伝送レーンの先頭を見つけることでレーン同期し、ＭＦＡＳないしはＬＬＭのパタンを見ることでレーン識別が行わる。
【００３３】
レーン同期・識別回路２７において同期および識別が完全に行われると、分離回路２４によりＫＮ個のレーンは時間的に分離される。このとき、図２で説明したとおり、タイムスロットごとに異なるデマッピング回路２２に出力される。そして、同一タイムスロット上に割り当てられたブロックが各デマッピング回路２２により元のＮ個のＯＴＵフレームへと再合成される。これらからＮ個のＯＴＵフレーマ２１によりＮ個のデータ系列がそれぞれ取り出される。
【００３４】
（フレーム構成）
送信器１００内における同期用信号のビットパタンは各ＯＴＵフレーム内で次のように埋められる。図４に記載の図は、Ｇ．７０９記載のＯＴＵフレームのオーバヘッド（ＯＨ）を示しており、同期用信号の構成を表す。ＯＴＵフレームにおける同期用信号として、ＦＡＳ（Ｆｒａｍｅ  Ａｌｉｇｎｍｅｎｔ  Ｓｉｇｎａｌ）が使用される。ＦＡＳの１から６バイト目は固定パタンが入り、受信器２００において論理レーンの先頭を見つけるための論理レーン同期用信号として使用される。７バイト目にはＭＦＡＳ（Ｍｕｌｔｉ  ＦＡＳ）と呼ばれる論理レーン番号識別信号が入っており、０から２５５までの数字が割り当てられる。
【００３５】
図５はデータ系列＃１のＦＡＳの一例を示し、図６はデータ系列＃２〜＃ＮのＦＡＳの一例を示す。データ系列＃１のＯＴＵフレームのＦＡＳはＧ．７０９記載通りのパタンであるが、それ以外のデータ系列＃２〜＃ＮのＯＴＵフレームのＯＨは、ＦＡＳの固定パタンがＧ．７０９と異なるように埋められる。これは、レーンローテーションの対象外としたデータ系列＃２〜＃Ｎのクライアントデータに含まれる同期用信号によって受信器２００で誤同期することを防止するための変更である。
【００３６】
異なり方としては、ＦＡＳがもともとＯＡ１が３バイト、ＯＡ２が３バイトという構成であり、この構成から変更して「ＦＡＳでない」と認識される範囲内であればよい。つまり、元のＦＡＳの誤り閾値がｍビット（誤りビット数がｍビット内であればＦＡＳとみなす）と仮定したとき、変更後のＦＡＳは元のＦＡＳと比較して（ｍ＋１）ビット以上異なっていればよい。一例としてそのパタンはＯＨの先頭からＯＡ２（００１０１０００）が３つ、ＯＡ１（１１１１０１１０）が３つといったパタンにする。これにより、（Ｎ−１）個の元々ＦＡＳであったパタンは、受信器２００でＦＡＳとして識別されることはない。
【００３７】
総論理レーン数ＫＮが２のべき乗数でない場合には、レーン番号識別信号としてＭＦＡＳの代わりに、ＦＡＳの６バイト目を固定パタンからレーン識別信号へと変更し利用することができる。この６バイト目はＬＬＭ（Ｌｏｇｉｃａｌ  Ｌａｎｅ  Ｍａｒｋｅｒ）と呼ばれる。ＬＬＭは０から始まり、（［２５６／（ＮＫ）］×（ＮＫ）−１）までその値が１ずつ増加していき、前記最大値まで達すると再び０から値を増やす。したがって同じＬＬＭパタンが出現する周期は［２５６／（ＮＫ）］×（ＮＫ）と表すことができる。ただし、ｘを実数としたとき［ｘ］はｘを超えない最大の数を表す。
【００３８】
以上説明したように、本実施形態に係るマルチレーン伝送システムは、データ系列＃１のみについて同期用信号のレーンローテーションを行いながらマッピングし、それ以外のデータ系列については同期用信号をマッピングしないことで、データ系列＃１〜＃ＮのＯＴＵフレームをλ１〜λＮの複数の物理チャネルを用いて光伝送路３００で伝送させ、光受信器２００にて＃１〜＃Ｎの各データ系列を取り出すことができる。
【００３９】
なお、本実施形態では、複数のデータ系列のうちの前記同期用信号を用いる１つのデータ系列がデータ系列＃１である場合について説明したが、当該１つのデータ系列は＃１〜＃Ｎのいずれのデータ系列であってもよい。また、本実施形態ではＮ個のデータ系列に対して同数のＮ個の物理チャネルを備える構成としたが、これに限られず、任意の物理チャネル数に適用することができる。また、１つの物理チャネルに対する論理レーン数Ｋ＝２に限らず、光変調器１５の機能に応じて任意の論理レーン数に設定することができる。
【００４０】
また、本実施形態では、受信器２００がＮ個のデマッピング回路２２を備える構成としたが、レーンローテーションを行っていないデータ系列＃２〜＃Ｎについては、デマッピング回路２２に代えてパラレルシリアル変換回路１３を用いることも可能である。
【００４１】
（実施形態２）
図７に、本実施形態における伝送フレームのレーンへのマッピングの一例を示す。図では、簡単のため、１物理チャネルあたりのレーン数は１とした。ＬＬＭを用いる場合に連続したＮ個のＯＴＵフレームのＬＬＭを同じパタンにすることで、図７に示すように、各レーンにおいてＦＡＳが出現する周期はＮ倍となる。この効果により、同じＬＬＭパタンが出現するまでの周期はＮ倍となり、スキュー耐力が向上する。
【００４２】
受信器２００内でのスキュー耐力Ｍは、フレーム長を単位としたとき、
（数１）
Ｍ＝（ＬＣＭ（同じＬＬＭパタンが出現する周期，同じＭＦＡＳパタンが出現する周期）／２−１      （式１）
フレームと表される。ただし、ＬＣＭ（ａ，ｂ）は、ａ、ｂを自然数としたとき、ａとｂの最小公倍数を表す。同じＭＦＡＳパタンが出現する周期は２５６（＝２の８乗）フレームである。
【００４３】
前記の通り同じＬＬＭパタンが出現する周期がＮ倍になったとき、ＮがＮ＝（２のＱ乗）×Ｒと因数分解できるとすると、スキュー耐力は式２で与えられる。
（数２）
Ｍ＝（ＬＣＭ（同じＬＬＭパタンが出現する周期）×Ｒ，２５６）／２−１    （式２）
ただし、Ｑは８以下の自然数で、Ｒは２を因数として含まない２５６以下の自然数である。
【００４４】
例えば、物理チャネルあたりの論理レーン数Ｋ＝２、データ系列数Ｎ＝１０の場合、総論理レーン数は２０となるが、本実施形態の方法を用いないと仮定すると同じＬＬＭパタンが出現する周期は［２５６／２０］×２０＝２４０ＯＴＵフレーム長となる。この場合のスキュー耐力ＭはＬＣＭ（２４０，２５６）／２−１＝１９１９ＯＴＵフレームである。本実施形態の方法を用いると、同じＬＬＭパタンが出現する周期は２４０×１０＝２４００ＯＴＵフレームとなるため、スキュー耐力Ｍは約５倍のＬＣＭ（２４００，２５６）／２−１＝９５９９ＯＴＵフレーム長へと拡大することができる。
【００４５】
なお伝送フレームの論理レーンへのマッピング法はこれ以外にも考えられるが、本発明は上記の実施の形態に限定されることなく、特許請求の範囲内において種々変更および応用が可能である。
【産業上の利用可能性】
【００４６】
本発明は情報通信産業に適用することができる。
【符号の説明】
【００４７】
１１：ＯＴＵフレーマ
１２：マッピング回路
１３：シリアルパラレル変換回路
１４：多重回路
１５：光変調器
１６：合波器
２１：ＯＴＵフレーマ
２２：デマッピング回路
２４：分離回路
２５：光復調器
２６：分波器
２７：レーン同期・識別回路
１００：送信器
２００：受信器
３００：光伝送路
【図１】
2014039108.tif 000003
【図２】
2014039108.tif 000004
【図３】
2014039108.tif 000005
【図４】
2014039108.tif 000006
【図５】
2014039108.tif 000007
【図６】
2014039108.tif 000008
【図７】
2014039108.tif 000009